(57)【特許請求の範囲】
【請求項１】
底面と、該底面の四辺に立設される側板とで構成され、上面が開口した箱体と、
該箱体の開口縁の一辺に折り線を介して連設される上蓋と、
前記箱体の開口縁のうち前記上蓋が延設される辺と対向する辺に折り線を介して連設され、前記上蓋の内側に重なる内蓋と、
前記箱体の開口縁のうち前記上蓋が延設される辺と隣接する辺に折り線を介して連設され、前記上蓋の内側に重なる蓋フラップと、
前記上蓋の先端を折り曲げて形成される差し込み片と、
前記内蓋と前記内蓋が連設される前記側板との境界に沿って形成され、前記差し込み片が挿入される第１差し込み孔と、
を有する包装箱において、
前記上蓋には、平面視凸形状の切り込み線と、該切り込み線の両端部を連結する折曲線とで囲まれた舌状片が形成され、前記内蓋または前記蓋フラップには、前記折曲線と対向する位置にスリットが形成されており、
前記舌状片の表面には、前記上蓋が開封済であることを示す目印が形成されており、
前記箱体を組み立てる際、前記舌状片を前記折曲線に沿って折り曲げた状態で前記スリットに挿入し、前記差し込み片を前記第１差し込み孔に挿入することにより前記上蓋と前記内蓋とを閉状態に保持することを特徴とする包装箱。
【請求項２】
前記舌状片を前記スリットに挿入した状態で前記上蓋と前記内蓋とを閉状態に保持したとき、前記舌状片の折り曲げによって前記上蓋に形成された貫通穴から露出する前記内蓋または前記蓋フラップの表面には、前記上蓋が未開封であることを示す目印が形成されていることを特徴とする請求項１に記載の包装箱。
【請求項３】
底面と、該底面の四辺に立設される側板とで構成され、上面が開口した箱体と、
該箱体の開口縁の一辺に折り線を介して連設される上蓋と、
前記箱体の開口縁のうち前記上蓋が延設される辺と対向する辺に折り線を介して連設され、前記上蓋の内側に重なる内蓋と、
前記箱体の開口縁のうち前記上蓋が延設される辺と隣接する辺に折り線を介して連設され、前記上蓋の内側に重なる蓋フラップと、
前記上蓋の先端を折り曲げて形成される差し込み片と、
前記内蓋と前記内蓋が連設される前記側板との境界に沿って形成され、前記差し込み片が挿入される第１差し込み孔と、
を有する包装箱において、
前記上蓋には、平面視凸形状の切り込み線と、該切り込み線の両端部を連結する折曲線とで囲まれた舌状片が形成され、前記内蓋または前記蓋フラップには、前記折曲線と対向する位置にスリットが形成されており、
前記箱体を組み立てる際、前記舌状片を前記折曲線に沿って折り曲げた状態で前記スリットに挿入し、前記差し込み片を前記第１差し込み孔に挿入することにより前記上蓋と前記内蓋とを閉状態に保持し、
前記舌状片を前記スリットに挿入した状態で前記上蓋と前記内蓋とを閉状態に保持したとき、前記舌状片の折り曲げによって前記上蓋に形成された貫通穴から露出する前記内蓋または前記蓋フラップの表面には、前記上蓋が未開封であることを示す目印が形成されていることを特徴とする包装箱。
【請求項４】
前記舌状片は、前記スリットに差し込まれる先端部に向かって徐々に幅狭となる先細り形状であることを特徴とする請求項１乃至請求項３のいずれかに記載の包装箱。
【請求項５】
前記内蓋が連設される側板には、前記第１差し込み孔を横断して前記内蓋に至る蓋板固定片が形成されており、前記上蓋と前記差し込み片との境界には前記蓋板固定片が挿入される第２差し込み孔が形成されていることを特徴とする請求項１乃至請求項４のいずれかに記載の包装箱。
【発明の詳細な説明】
【技術分野】
【０００１】
本発明は、製品等を梱包する包装箱に関し、特に、開封済であるか未開封であるかを判別する構成を備えた包装箱に関するものである。
【背景技術】
【０００２】
従来、小型の電機製品や精密機器本体、或いは交換部品等の被梱包物を梱包して出荷する際に使用される包装箱として、上蓋と内蓋とが開口部分で重ねられるように構成された包装箱が広く用いられている。
【０００３】
近年、産業廃棄物による環境への影響の低減が重要な課題となっており、画像形成装置に搭載されるトナーカートリッジ等の交換部品は、リサイクルユースのために使用済みの交換部品を回収する必要が生じている。このとき、新たな交換部品が梱包されていた包装箱に使用済みの交換部品を再梱包して返送すると、交換部品の形状に合わせて設計された包装材料を用いるため交換部品をガタつきなく容易に再梱包することができ、包装箱も再利用することができる。
【０００４】
しかし、包装箱を再利用すると、ユーザーやサービスマンが交換部品を保管する際に、使用済みの交換部品の入った包装箱と、新品の交換部品が入った包装箱とを同じ場所に置いてしまった場合、包装箱の外観が同じであるため包装箱を開封しなければ中身が使用済みであるか新品であるかを判別することができないという問題点があった。
【０００５】
そこで、包装箱が未開封であるか開封済みであるかを容易に判別する方法が提案されており、例えば特許文献１には、包装箱のフラップに、ジッパー、ミシン目、テープ等の切断開封部と、再封緘用差し込み舌片と、差し込み舌片を差し込むための差し込み口とを備えたカートリッジ用包装箱が開示されている。また、特許文献２には、包装箱の周壁を構成する第１の壁部に連設された蓋壁と、蓋壁に連設され第１の壁部を除く第２の壁部に重畳する縁壁と、を備え、第１及び第２の壁部を除く第３の壁部の外面に貼着される貼着壁を蓋壁に連設し、この貼着壁に第１破断線で囲まれ蓋壁に連設された突片部を設けた包装箱が開示されている。
【先行技術文献】
【特許文献】
【０００６】
【特許文献１】特開平５−１２４６３８号公報
【特許文献２】特開２００８−７４４１８号公報
【発明の概要】
【発明が解決しようとする課題】
【０００７】
しかしながら、特許文献１の方法では包装箱の一部を破断して開封するため、包装箱やテープの切れ端等のゴミが発生するという問題点があった。また、特許文献２の方法では製品の梱包時に貼着壁を糊付けするため、包装箱に糊（接着剤）を塗布する工程及び糊付け装置等の設備が必要となり、部材点数及び製造工数が増加して包装箱のコストアップに繋がることとなる。
【０００８】
本発明は、上述の問題点に鑑み、梱包時に糊付けを必要とせず、開封済であるか否かが明確に視認できるとともに開封時にゴミ等も発生しない簡易な構成の包装箱を提供することを目的とする。
【課題を解決するための手段】
【０００９】
上記目的を達成するために本発明は、底面と、該底面の四辺に立設される側板とで構成され、上面が開口した箱体と、該箱体の開口縁の一辺に折り線を介して連設される上蓋と、前記箱体の開口縁のうち前記上蓋が延設される辺と対向する辺に折り線を介して連設され、前記上蓋の内側に重なる内蓋と、前記箱体の開口縁のうち前記上蓋が延設される辺と隣接する辺に折り線を介して連設され、前記上蓋の内側に重なる蓋フラップと、前記上蓋の先端を折り曲げて形成される差し込み片と、前記内蓋と前記内蓋が連設される前記側板との境界に沿って形成され、前記差し込み片が挿入される第１差し込み孔と、を有する包装箱において、前記上蓋には、平面視凸形状の切り込み線と、該切り込み線の両端部を連結する折曲線とで囲まれた舌状片が形成され、前記内蓋または前記蓋フラップには、前記折曲線と対向する位置にスリットが形成されており、前記箱体を組み立てる際、前記舌状片を前記折曲線に沿って折り曲げた状態で前記スリットに挿入し、前記差し込み片を前記第１差し込み孔に挿入することにより前記上蓋と前記内蓋とを閉状態に保持することを特徴とする包装箱である。
【００１０】
また本発明は、上記構成の包装箱において、前記舌状片の表面には、前記上蓋が開封済であることを示す目印が形成されていることを特徴としている。
【００１１】
また本発明は、上記構成の包装箱において、前記舌状片を前記スリットに挿入した状態で前記上蓋と前記内蓋とを閉状態に保持したとき、前記舌状片の折り曲げによって前記上蓋に形成された貫通穴から露出する前記内蓋または前記蓋フラップの表面には、前記上蓋が未開封であることを示す目印が形成されていることを特徴としている。
【００１２】
また本発明は、上記構成の包装箱において、前記舌状片は、前記スリットに挿入される先端部に向かって徐々に幅狭となる先細り形状であることを特徴としている。
【００１３】
また本発明は、上記構成の包装箱において、前記内蓋が連設される側板には、前記第１差し込み孔を横断して前記内蓋に至る蓋板固定片が形成されており、前記上蓋と前記差し込み片との境界には前記蓋板固定片が挿入される第２差し込み孔が形成されていることを特徴としている。
【発明の効果】
【００１４】
本発明の第１の構成によれば、包装箱の組み立てが完了した状態では、上蓋に形成された舌状片が折り曲げられた状態でスリットに挿入されている。そして、上蓋が一旦開封された後、再梱包する際は折り曲げられていた舌状片がスリットに挿入されずに上蓋に沿って伸長される。これにより、包装箱が開封されたか否かを一目で確認することができ、且つ、糊付けが不要で開封時にゴミ等も発生しない簡易な構成の包装箱となる。
【００１５】
また、本発明の第２の構成によれば、上記第１の構成の包装箱において、舌状片の表面に、上蓋が開封済であることを示す目印を形成することにより、舌状片が折り曲げられた状態では目印は視認できず、舌状片が上蓋に沿って伸長されたとき目印が視認可能となる。従って、舌状片が折り曲げられた状態が未開封であり、舌状片が伸長された状態が開封済であることを知らないユーザーに対しても、包装箱が開封されたか否かを一目で確認可能な包装箱となる。
【００１６】
また、本発明の第３の構成によれば、上記第１又は第２の構成の包装箱において、舌状片をスリットに挿入した状態で上蓋と内蓋とを閉状態に保持したとき、舌状片の折り曲げによって上蓋に形成された貫通穴から露出する内蓋または蓋フラップの表面に、上蓋が未開封であることを示す目印を形成することにより、舌状片が折り曲げられた状態では目印が視認可能であり、舌状片が上蓋に沿って伸長されたとき目印は視認できなくなる。従って、舌状片が折り曲げられた状態が未開封であり、舌状片が伸長された状態が開封済であることを知らないユーザーに対しても、包装箱が開封されたか否かを一目で確認可能な包装箱となる。
【００１７】
また、本発明の第４の構成によれば、上記第１乃至第３のいずれかの構成の包装箱において、舌状片をスリットに挿入される先端部に向かって徐々に幅狭となる先細り形状とすることにより、包装箱を用いて製品を梱包する際に舌状片をスリットに円滑に挿入することができる。
【００１８】
また、本発明の第５の構成によれば、上記第１乃至第４のいずれかの構成の包装箱において、内蓋が連設される側板に第１差し込み孔を横断して内蓋に至る蓋板固定片を形成し、上蓋と差し込み片との境界に蓋板固定片が挿入される第２差し込み孔を形成することにより、差し込み片と蓋板固定片とを用いて上蓋を二重ロックすることができ、上蓋の不用意な開放を防止できる。また、二重ロックを解除せずに包装箱が開封されたか否かを一目で確認できる。
【図面の簡単な説明】
【００１９】
【図１】本発明の第１実施形態に係る包装箱１００の展開図
【図２】図１の状態から、上端に開口部３１を有する箱体３０を組み立てた状態を示す第１実施形態の包装箱１００の斜視図
【図３】図２の状態から、蓋フラップ１１、１２及び内蓋１０を折り曲げた状態を示す第１実施形態の包装箱１００の斜視図
【図４】上蓋９の切り込み線２０と折曲線２１とで囲まれた部分を内側に切り起こして舌状片２３を形成した状態を示す第１実施形態の包装箱１００の部分拡大図
【図５】図３の状態から上蓋９の差し込み片９ａを内蓋１０に設けられた第１差し込み孔１３に挿入した状態を示す第１実施形態の包装箱１００の斜視図
【図６】包装箱１００を用いて再梱包する際に、蓋フラップ１１、１２、内蓋１及び上蓋９を折り曲げ、上蓋９の差し込み片９ａを内蓋１０に設けられた第１差し込み孔１３に挿入した状態を示す第１実施形態の包装箱１００の斜視図
【図７】図６における舌状片２３を上方向から見た拡大図
【図８】本発明の第２実施形態に係る包装箱１００を組み立てた状態における、上蓋９に形成される貫通穴２７周辺の部分拡大図。
【図９】第２実施形態の包装箱１００を用いて再梱包した状態における、上蓋９の舌状片２３周辺の部分拡大図。
【発明を実施するための形態】
【００２０】
以下、図面を参照しながら本発明の実施形態について説明する。図１は、本発明の第１実施形態に係る包装箱１００の展開図である。なお、図１においては、山折り線を破線で表示する。また、図１の横方向（包装箱１００の水平方向）をＸ軸方向、縦方向（包装箱１００の上下方向）をＹ軸方向と称する。
【００２１】
包装箱１００は、段ボール紙等の一枚のシート材から形成されており、折り線を介して直列に連なる４枚の側板１、２、３、４と、側板１、３の下辺に折り線を介して連なる底板５、６と、側板２、４の下辺に折り線を介して連なる底フラップ７、８と、側板１の上辺に折り線を介して連なる上蓋９と、側板３の上辺に折り線を介して連なる内蓋１０と、側板２、４の上辺に折り線を介して連なる蓋フラップ１１、１２とで構成されている。側板１と側板３、及び側板２と側板４は、Ｘ軸方向の長さが互いに同等となるように形成されている。また、側板１の端縁には接着片１ａが折り線を介して連設されている。
【００２２】
上蓋９の側板１に対向する辺には折り線を介して差し込み片９ａが連設されており、内蓋１０には、側板３と内蓋１０との境界（内蓋１０の開閉支持線）に沿って差し込み片９ａが挿入される第１差し込み孔１３が形成されている。第１差し込み孔１３のＸ軸方向の長さは、差し込み片９ａを挿入できるように、差し込み片９ａのＸ軸方向の長さよりも長く形成されている。
【００２３】
また、側板３には第１差し込み孔１３を横切って内蓋１０に至る蓋板固定片１５が形成されており、差し込み片９ａには、上蓋９と差し込み片９ａとの境界（差し込み片９ａの折り線）の略中央部に蓋板固定片１５が挿入される第２差し込み孔１７が形成されている。第２差し込み孔１７のＸ軸方向の長さは、蓋板固定片１５を挿入できるように、蓋板固定片１５のＸ軸方向の長さよりも長く形成されている。
【００２４】
上蓋９の略中央部には切り込み線２０が形成されている。切り込み線２０は差し込み片９ａに向かって平面視凸形状に形成されており、切り込み線２０の両端部は折曲線２１で連結されている。そして、切り込み線２０と折曲線２１とで囲まれた略５角形状の領域が切り込み線２０に沿って切り起こされて舌状片２３となる。舌状片２３の表面には「開封済」の文字（図４参照）が印刷されている。なお、折曲線２１は、折罫線、ミシン目、ハーフカットライン等で形成することができる。また、内蓋１０には、上蓋９を重ね合わせたとき折曲線２１と対向する箇所にスリット２５が形成されている。スリット２５は舌状片２３が挿入可能な最小限の幅を有する。
【００２５】
次に、本発明の包装箱１００の組み立て手順について説明する。先ず、側板１〜４間の折り線を折り曲げた後、接着片１ａを側板４の内側に接着して包装箱１００の胴部を形成する。そして、側板１〜４の下辺に連設された底板５、６と底フラップ７、８とを内側に折り曲げて底板６、底フラップ７、８の突起を底板５の凹部５ａに係合させ、包装箱１００の底面を形成する。これにより、図２に示すように底面及び側板１〜４で囲まれた、上端に開口部３１を有する平面視矩形状の箱体３０が形成される。
【００２６】
次いで、開口部３１から箱体３０内に被梱包物である交換部品（例えばトナーカートリッジ）を収納した後、蓋フラップ１１、１２、内蓋１０、及び上蓋９を、この順に折り線に沿って箱体３０の内側へ折り曲げていく。蓋フラップ１１、１２、内蓋１０、及び上蓋９を折り曲げた状態を図３に示す。
【００２７】
次に、図４に示すように、上蓋９の切り込み線２０と折曲線２１とで囲まれた部分を指で押さえて舌状片２３を内側に切り起こす。そして、舌状片２３の先端を内蓋１０のスリット２５に差し込む。舌状片２３はスリット２５に差し込まれる先端部に向かって徐々に幅狭となる先細り形状となっているため、スリット２５に円滑に差し込むことができる。
【００２８】
そして、図５に示すように、上蓋９の差し込み片９ａを内蓋１０に設けられた第１差し込み孔１３に挿入する。最後に、側板３の蓋板固定片１５を差し込み片９ａの第２差し込み孔１７に挿入することにより、包装箱１００の組み立てが完了する。この状態では、舌状片２３がスリット２５に挿入されているため、舌状片２３に印刷された「開封済」の文字は視認できない。
【００２９】
包装箱１００に使用済みの交換部品を再梱包する際は、開口部３１から箱体３０内に交換部品を収納した後、蓋フラップ１１、１２、内蓋１０、及び上蓋９を、この順に折り線に沿って箱体３０の内側へ折り曲げていく。このとき、舌状片２３はシート材の復元力によって折り曲げ状態から元に戻ろうとするため、図６に示すように、舌状片２３はスリット２５に差し込まれずに内蓋１０の表面に重なる。その結果、舌状片２３は上蓋９と内蓋１０とで挟まれて折り曲げ状態が伸長されていく。
【００３０】
そして、上蓋９の差し込み片９ａを内蓋１０に設けられた第１差し込み孔１３に挿入するとともに、側板３の蓋板固定片１５を差し込み片９ａの第２差し込み孔１７に挿入して再梱包が完了する。この状態では、舌状片２３はスリット２５に挿入されておらず、上蓋９に沿って伸長されているため、図７に示すように、貫通穴２７は舌状片２３によって再び塞がれ、舌状片２３に印刷された「開封済」の文字が外部から視認できる。
【００３１】
上記の構成によれば、包装箱１００が開封されたか否かを一目で確認することができ、包装箱１００を開封することなく内部の交換部品が未使用であるか使用済であるかを容易に確認することができる。また、包装箱１００を用いた梱包時に糊付けを必要としないため、部材点数及び製造工数を削減できるとともに糊付け装置等の設備も不要となり、包装箱１００の低コスト化に繋がる。さらに、開封時に包装箱１００を破断しないため、包装箱１００やテープの切れ端等のゴミも発生しない。
【００３２】
図８は、本発明の第２実施形態に係る包装箱１００の部分拡大図であり、舌状片２３を折り曲げてスリット２５に差し込んだ状態で上蓋９に形成される貫通穴２７周辺の部分拡大図である。図８では、舌状片２３をスリット２５に差し込んだ状態で差し込み片９ａを第１差し込み孔１３に挿入し、蓋板固定片１５を第２差し込み孔１７に挿入して上蓋９と内蓋１０とを閉状態に固定したとき、舌状片２３の折り曲げによって上蓋９に形成された貫通穴２７から露出する内蓋１０の表面に「未開封」の文字が印刷されている。
【００３３】
本実施形態の構成によれば、包装箱１００に使用済みの交換部品を再梱包する際は、舌状片２３はスリット２５に挿入されずに上蓋９に沿って伸長されるため、図９に示すように、貫通穴２７は舌状片２３によって再び塞がれる。そして、上蓋１０に印刷された「未開封」の文字に舌状片２３が重なって外部から視認できなくなる。従って、舌状片２３に「開封済」の文字を印刷した第１実施形態と同様に、包装箱１００を開封することなく内部の交換部品が未使用であるか使用済であるかを容易に確認することができる。
【００３４】
その他本発明は、上記各実施形態に限られるものではなく、本発明の趣旨を逸脱しない範囲で種々の変更が可能である。例えば、本発明は、一対の底板５、６と一対の底フラップ７、８を係合させて底面を形成するＢ式タイプに限らず、矩形状の底板の四辺に連設された側板を上方に折り曲げるＡ式タイプ等、種々の組み立て方式の包装箱に適用できる。
【００３５】
また、上記各実施形態では、差し込み片９ａと蓋板固定片１５とを用いて上蓋９を二重ロックする構成の包装箱１００を例に挙げて説明したが、上蓋９をロックする機構はこれに限らず、例えば蓋板固定片１５を用いない構成としても良い。
【００３６】
また、舌状片２３の大きさや形状、配置についても特に制限はなく、包装箱１００の仕様に応じて任意に設計することができる。例えば、上記実施形態では舌状片２３を上蓋９の略中央部に設け、上蓋９の内側に重なる内蓋１０に舌状片２３を差し込むスリット２５を設けたが、舌状片２３を上蓋９の蓋フラップ１１、１２に対向する端部寄りに設け、スリット２５を蓋フラップ１１、１２に設けることもできる。
【００３７】
また、上記各実施形態では、舌状片２３の表面に「開封済」の文字を印刷するか、或いは上蓋９に形成された貫通穴２７から露出する内蓋１０の表面に「未開封」の文字を印刷して開封済であるか未開封であるかを判別するようにしたが、舌状片２３の表面と内蓋１０の表面の両方に文字を印刷しておけば、より確実な判別が可能となる。
【００３８】
さらに、文字に限らず、マークや記号等、開封済であるか未開封であるかが判別できるような目印を形成すれば良い。さらに、舌状片２３が折り曲げ状態（スリット２５に挿入された状態）であるか伸長状態であるかによって未開封であるか開封済であるかを判別するようにすれば、必ずしも目印を必要としない。
【産業上の利用可能性】
【００３９】
本発明は、対向する側板の上端に連設される内蓋と上蓋とを有する包装箱に利用可能である。本発明の利用により、梱包時に糊付けを必要とせず、開封した痕跡が明確に視認できる、強度や密閉性にも優れた簡易な構成の包装箱を提供することができる。
【符号の説明】
【００４０】
１〜４          側板
５、６          底板
７、８          底フラップ
９              上蓋
９ａ            差し込み片
１０            内蓋
１１、１２      蓋フラップ
１３            第１差し込み孔
１５            蓋板固定片
１７            第２差し込み孔
２０            切り込み線
２１            折曲線
２３            舌状片
２５            スリット
２７            貫通穴
３０            箱体
３１            開口部
１００          包装箱
【図１】
0005802610.tif 000002
【図２】
0005802610.tif 000003
【図３】
0005802610.tif 000004
【図４】
0005802610.tif 000005
【図５】
0005802610.tif 000006
【図６】
0005802610.tif 000007
【図７】
0005802610.tif 000008
【図８】
0005802610.tif 000009
【図９】
0005802610.tif 000010